(57)【要約】 【課題】  建設機械から取り外したアタッチメントの整備作業中に、労働災害が起こりにくい作業台を提供する。【解決手段】  この作業台は、作業者が整備作業のためにその上に立つ底部１と、底部１の一端から起立している柱部２と、柱部２の上端に設けられたアタッチメントのフレームを連結するための装着部３とを具備する。装着部３は、上部リンク３ａと下部リンク３ｂとを具備する。柱部２には、貫通孔４ａ及び４ｂが設けられている。上部リンク３ａには、円筒孔１３ａが設けられている。下部リンク３ｂには、貫通孔１３ｂａ及び１３ｂｂが設けられている。各孔を合致させて、センターピンを挿通することにより、柱部２の上端に装着部３が装着される。上部リンク及び下部リンクには、アタッチメントのフレームを連結するための円筒孔２３ａ及び貫通孔２３ｂａと２３ｂｂが設けられている。【選択図】  図１
2017150281.tif 000002
【特許請求の範囲】
【請求項１】
建設機械のアームに取り付けられたアタッチメントを整備するための作業台であって、
前記作業台は、
作業者が整備作業のためにその上に立つ底部と、
前記底部の一端から起立している柱部と、
前記柱部の上端に設けられた、アタッチメントのフレームを連結するための装着部とを具備することを特徴とする建設機械のアタッチメントを整備するための作業台。
【請求項２】
装着部は、上部リンクと下部リンクとを具備し、該上部リンクと該下部リンクとによって、アタッチメントのフレームが連結せしめられるものである請求項１記載の建設機械のアタッチメントを整備するための作業台。
【請求項３】
柱部、上部リンク及び下部リンクに設けられた各孔にピンが挿通せしめられて、該柱部の上端に装着部が固定されている請求項２記載の建設機械のアタッチメントを整備するための作業台。
【請求項４】
上部リンク及び下部リンクには、アタッチメントのフレームを連結するための孔が一つ又は二つ以上設けられている請求項２記載の建設機械のアタッチメントを整備するための作業台。
【請求項５】
柱部は二枚の鉄板が起立してなり、該二枚の鉄板間には仕切板が設けられており、該仕切板はターンバックルを掛けるための掛け部を具えており、一方、上部リンクにも該ターンバックスを掛けるための掛け部を具えている請求項２記載の建設機械のアタッチメントを整備するための作業台。
【請求項６】
上部リンクは、その位置を変更するための持ち手及び／又はそれを天井クレーンで吊り上げるための吊りフックを具えている請求項２記載の建設機械のアタッチメントを整備するための作業台。
【請求項７】
下部リンクは、アタッチメントのフレームを連結するための孔が設けられている部材を固定するための台を具えている請求項２記載の建設機械のアタッチメントを整備するための作業台。
【請求項８】
下部リンクは、油圧ジャッキを介して、底部又は柱部に固定されている請求項２記載の建設機械のアタッチメントを整備するための作業台。
【発明の詳細な説明】
【技術分野】
【０００１】
本発明は、建設機械のアタッチメントを修理、清掃及び改造等の整備をする際に用いる作業台に関するものである。
【背景技術】
【０００２】
建設機械は、本体上に設けられたブームと、このブームの先端に設けられたアームと、アームの先端に取り付けられたアタッチメントとで構成されている。アタッチメントとしては、各種のものが存在するが、基本的に、その構造はアームに取り付けられるフレームと、このフレームに連結している作業具よりなる。作業具は旋回可能なように、フレームと作業具との間に旋回装置を介して連結しているのが、一般的である。アタッチメントの作業具としては、油圧ショベル、破砕機、つかみ機、フォーク又はバケット等の各種のものが用いられている。アタッチメント、特にその作業具は、使用に伴い摩耗及び破損等の劣化の生じやすいものである。したがって、摩耗や破損等が生じた際には、肉盛溶接等の整備を行う必要がある。
【０００３】
従来、アタッチメントを整備するには、建設機械のアームから取り外して行っている。アタッチメントは高重量であるため、天井クレーン等で吊り上げ、反転させて整備を行っている。すなわち、アタッチメントを鉄板等よりなる床上に置いて片面の整備を行い、他面を整備するには天井クレーン等でアタッチメントを吊り上げた後に反転させることによって行っている。しかしながら、整備作業中の反転時にアタッチメントが鉄板上を滑り、作業者とぶつかったり、作業者の足上にアタッチメントが落下したりして、作業者が怪我をする事故（労働災害）が多発していた。特に、大きくて高重量のアタッチメントの場合には、重大事故になることもあった。
【０００４】
なお、建設機械の整備を行うために、設置されている機器を取り外すことなく、踏み台を用いて行うことが提案されている（特許文献１）。しかしながら、かかる方法では、アタッチメントの整備者を建設機械の存在場所に派遣するか、又は建設機械をアタッチメントの整備工場まで運送しなければならず、合理的ではない。
【０００５】
【特許文献１】特開平５−６５７２０号公報
【発明の概要】
【発明が解決しようとする課題】
【０００６】
本発明の課題は、建設機械から取り外したアタッチメントの整備作業中に、労働災害が起こりにくい作業台を提供することにある。
【課題を解決するための手段】
【０００７】
本発明は、アタッチメントのフレームを連結しうる装着部を具えた作業台を用いることにより、上記した課題を解決したものである。すなわち、本発明は、建設機械のアームに取り付けられたアタッチメントを整備するための作業台であって、前記作業台は、作業者が整備作業のためにその上に立つ底部と、前記底部の一端から起立している柱部と、前記柱部の上端に設けられたアタッチメントのフレームを連結するための装着部とを具備することを特徴とする建設機械のアタッチメントを整備するための作業台に関するものである。
【発明の効果】
【０００８】
アタッチメントを本発明に係る作業台に連結させるには、アタッチメントを天井クレーン等で吊り上げた状態とし、アタッチメントのフレームの位置と装着部の位置を合致させて、両者を連結すればよい。そして、この状態でアタッチメントを整備を行えばよい。したがって、アタッチメントが床に落下したり、床上を移動することがないので、アタッチメントが作業者とぶつかったり、作業者の足上にアタッチメントが落下したりすることがない。よって、アタッチメントの整備作業中における労働災害を防止しうるという効果を奏する。
【図面の簡単な説明】
【０００９】
【図１】本発明の一例に係る作業台の側面図である。
【図２】本発明の一例に係る作業台に用いる柱部の背面図である。
【図３】本発明の一例で用いる上部リンクの側面図である。
【図４】図３に示した上部リンクの平面図である。
【図５】本発明の一例で用いる下部リンクの側面図である。
【図６】図５に示した下部リンクの平面図である。
【発明を実施するための形態】
【００１０】
本発明に係る作業台は、底部１と柱部２と装着部３とを具備している。底部１は、一般的に、略長方形状であって、鉄板等で構成されている。たとえば、木板を二枚の鉄板で挟んでなるものが用いられる。底部１の短辺側の一端には、柱部２が起立して設けられている。柱部２は、短辺方向において間隔を置いて配置されている二枚の鉄板２ａ及び２ｂよりなるのが好ましい。鉄板２ａ及び２ｂの間には、鉄板２ａ及び２ｂの間隔を一定に維持するため及びターンバックル等を取り付けるために、底部１と平行に仕切板５が設けられていてもよい。なお、ターンバックルは、仕切板５に設けられた掛け部と上部リンク３ａに設けられた掛け部とに掛けられ、上部リンク３ａの位置調整のために用いられるものである。
【００１１】
鉄板２ａ及び２ｂの上端には、貫通孔４ａ及び４ｂが設けられているのが好ましい。貫通孔４ａ及び４ｂと、上部リンク３ａ及び下部リンク３ｂに設けられた円筒孔１３ａ及び貫通孔１３ｂａと貫通孔１３ｂｂの位置を合致させ、ピン（このピンを以下、「センターピン」と称する。）を挿通することによって、柱部２の上端に装着部３を設けることができる。なお、円筒孔や貫通孔の周縁には、孔の補強のためにボスが設けられているのが、一般的である。
【００１２】
上部リンク３ａには、センターピンを挿通するための円筒孔１３ａが複数個設けられていてもよい。これは、上部リンク３ａを水平に移動しうるようにするためである。特に、小型のアタッチメントの場合、フレームに設けられた連結孔の間隔が狭い場合があり、このときには、上部リンク３ａを水平に移動させて、上部リンク３ａと下部リンク３ｂの間隔を狭くするのである。
【００１３】
上部リンク３ａの先端、すなわち、円筒孔１３ａが設けられている側の反対側には、アタッチメントのフレームを連結するための円筒孔２３ａが設けられている。この円筒孔２３ａとフレームに設けられている連結孔とを合致させてピン（このピンを以下、「リンクピン」と称する。）を挿通することによって、アタッチメントを連結する。なお、この連結は、円筒孔２３ａの外側に、フレームに設けられている連結孔を位置させて行うのが一般的である。円筒孔２３ａは複数個設けられているのが好ましい。これは、アタッチメントの種類によって、連結孔の位置及び間隔が異なり、これらに対応するためである。たとえば、図３に示したように、上部リンク３ａの垂下部位に円筒孔２３ａを設けることも可能である。
【００１４】
上部リンク３ａには、種々の部材が設けられていてもよい。たとえば、ターンバックルを掛けるための孔等の掛け部を有しているフックブラケット３３が設けられていてもよい。フックブラケット３３は、ターンバックルを用いて上部リンク３ａの傾きを微調整するのに好適なものである。また、上部リンク３ａを水平方向又は垂直方向に微調整するために、持ち手４３が設けられていてもよい。さらに、上部リンク３ａを水平方向又は垂直方向に移動させるために、天井クレーンに係止しうる吊りフック５３が設けられていてもよい。
【００１５】
下部リンク３ｂにも、センターピンを挿通するための貫通孔１３ｂａ及び１３ｂｂが設けられているのが好ましい。各貫通孔１３ｂａ及び１３ｂｂは、下部リンク３ｂを構成している二枚の鉄板３ｂａ及び３ｂｂに設けられている。センターピンを用いて装着部３を設けるには、柱部２の鉄板２ａ及び２ｂの間に、下部リンク３ｂの二枚の鉄板３ｂａ及び３ｂｂを入れ、さらに下部リンク３ｂの二枚の鉄板３ｂａ及び３ｂｂの間に、上部リンク３ａを入れ、柱部２に設けられた貫通孔４ａ及び４ｂと、下部リンク３ｂに設けられた貫通孔１３ｂａ及び１３ｂｂと、上部リンク３ａに設けられた円筒孔２３ａの位置を合致させて、各孔にセンターピンを挿通すればよい。センターピンを固定するためには、貫通孔４ａ及び４ｂから外側に突き出ているセンターピンの部位にセットカラーを被せて、ピンやネジ等でセンターピンを止めればよい。
【００１６】
下部リンク３ｂの先端、すなわち、貫通孔１３ｂａ及び１３ｂｂが設けられている側の反対側には、アタッチメントのフレームを連結するための貫通孔２３ｂａ及び２３ｂｂが設けられている。この貫通孔２３ｂａ及び２３ｂｂとフレームに設けられている連結孔とを合致させてリンクピンを挿通することによって、アタッチメントを連結する。アタッチメントのフレームには、一般的に、一対の連結孔が二個設けられており、この連結孔によって建設機械のアームに連結されている。したがって、アタッチメントのフレームの一方の連結孔対を上部リンク３ａの円筒孔２３ａと合致させてリンクピンを挿入し、他方の連結孔対を下部リンク３ｂの貫通孔２３ｂａ及び２３ｂｂと合致させてリンクピンを挿入することにより、アタッチメントを作業台に固定することができるのである。
【００１７】
下部リンク３ｂにも、貫通孔２３ｂａ及び２３ｂｂを複数個設けるのが好ましい。この理由は、上部リンク３ａの場合と同様に、アタッチメントの種類によって、連結孔の位置及び間隔が異なり、これらに対応するためである。また、下部リンク３ｂには、挿入台５３が設けられていてもよい。挿入台５３は、円筒孔又は貫通孔を持つ部材を挿入するためのものである。円筒孔又は貫通孔を持つ部材を挿入台５３に挿入して固定することにより、さらに小型のアタッチメントを連結することが可能となる。
【００１８】
下部リンク３ｂには、柱部２又は底部１に下部リンク３ｂを固定するための円筒孔６３ｂが設けられているのが好ましい。この円筒孔６３にピン（このピンを以下、「固定ピン」と称する。）を挿通し、柱部２又は底部１に設けた油圧ジャッキ６等で固定するのである。特に、油圧ジャッキ６を用いた場合には、油圧ジャッキ６を作動させることにより、下部リンク３ｂの上下位置を変更することが可能となる。
【００１９】
本発明に係る作業台には、種々の付属品を取り付けておいてもよい。アタッチメントの作業具は、旋回可能なように、フレームと作業具との間に旋回装置を介して連結していることが多い。したがって、作業具を旋回させて整備することも多い。作業具を旋回させるには、天井クレーンを用いて旋回させるのであるが、整備中に作業具が旋回しないように固定しておく必要が生じる場合がある。かかる場合に用いる旋回防止チェーンを底部１上に設けたボックス７に固定収納しておいてもよい。旋回防止チェーンの一端（他端はボックス７に固定されている。）をボックス７から取り出し、作業具の任意の箇所に巻回すれば、作業具を旋回を防止しうる。また、各ピンに把手を設け、柱部２の任意の箇所に、フックを設け、このフックに各ピンを掛けておいてもよい。
【符号の説明】
【００２０】
１        底部
２        柱部
３        装着部
３ａ      上部リンク
３ｂ      下部リンク
４ａ，４ｂ      センターピンを挿通するために柱部に設けられた貫通孔
１３ａ    センターピンを挿通するために上部リンクに設けられた円筒孔
２３ａ    リンクピンを挿通するために上部リンクに設けられた円筒孔
１３ｂａ，１３ｂｂ  センターピンを挿通するために下部リンクに設けられた貫通孔
２３ｂａ，２３ｂｂ  リンクピンを挿通するために下部リンクに設けられた貫通孔
【図１】
2017150281.tif 000003
【図２】
2017150281.tif 000004
【図３】
2017150281.tif 000005
【図４】
2017150281.tif 000006
【図５】
2017150281.tif 000007
【図６】
2017150281.tif 000008